(57)【特許請求の範囲】
【請求項１】
デジタルマルチメディア製品を製造する製造装置を用いた、デジタル著作権管理方法であって、
前記製造装置は、
前記デジタルマルチメディア製品の権限を有する少なくとも一人のユーザーの生体データを前記デジタルマルチメディアファイルに埋め込むように構成されたモジュールと、
埋め込まれた前記生体データを含む前記デジタルマルチメディアファイルを、デジタル記憶媒体に格納して、前記デジタルマルチメディア製品を製造するように構成されたデジタルマルチメディア製品製造器と
を備え、
前記方法は、
前記モジュールが、前記デジタルマルチメディア製品の権限を有する少なくとも一人のユーザーの生体データを前記デジタルマルチメディアファイルに埋め込む工程と、
前記モジュールが、追加のユーザが前記デジタルマルチメディア製品の権限を有することになるか否かを判定する工程と、
前記モジュールが、前記デジタルマルチメディアファイル内に、該デジタルマルチメディア製品の権限を有することになる追加のユーザーの数に対応するインジケータを埋め込む工程と、
前記デジタルマルチメディア製品製造器が、前記少なくとも一人のユーザの生体データと、前記インジケータとが埋め込まれた前記デジタルマルチメディアファイルを、前記デジタル記憶媒体に格納する工程と、
前記モジュールが、前記デジタルマルチメディアファイルに埋め込まれた前記インジケータに応じて、前記デジタルマルチメディア製品の追加のユーザの生体データを前記デジタルマルチメディア製品に埋め込む工程と、
前記モジュールが、前記デジタルマルチメディア製品の追加のユーザの前記生体データの、前記デジタルマルチメディア製品への埋め込みに応じて、前記インジケータをデクリメントする工程と、
前記モジュールが、デクリメントされた前記インジケータを、前記デジタルマルチメディア製品に埋め込む工程と
を備えることを特徴とする方法。
【請求項２】
前記デジタルマルチメディア製品の前記権限を有する少なくとも一人のユーザーは、少なくとも、前記デジタルマルチメディア製品の購入者、生成者、及び、少なくとも該購入者及び該生成者のいずれかの被指名者、のいずれかであることを特徴とする請求項１に記載のデジタル著作権管理方法。
【請求項３】
前記埋め込み工程は、前記デジタルマルチメディア製品の生成に応じて行われ、
前記権限を有する少なくとも一人のユーザーは、少なくとも、前記デジタルマルチメディア製品に対応するデジタルマルチメディアファイルの生成者及び該生成者の少なくとも一人の被指名者、のいずれかであり、
前記製造装置は、デジタルマルチメディアファイル生成手段と、生体情報取得手段とを更に備え、
前記埋め込み工程より先に、
前記デジタルマルチメディアファイル生成手段が、前記デジタルマルチメディアファイルを生成する工程と、
前記生体情報取得手段が、少なくとも、前記生成者及び前記生成者の少なくとも一人被指名者、のいずれかの前記生体データを取得する工程と
が行われることを特徴とする請求項１に記載のデジタル著作権管理方法。
【請求項４】
前記埋め込み工程は、前記デジタルマルチメディアファイルを格納する前記デジタル記憶媒体の購入に応じて行われ、
前記権限を有する少なくとも一人のユーザーは、少なくとも、前記デジタルマルチメディアファイルを格納する前記デジタル記憶媒体の購入者及び該購入者の少なくとも一人の被指名者、のいずれかであり、
前記製造装置は、デジタルマルチメディアファイル取得手段と、生体情報取得手段とを更に備え、
前記埋め込みより先に、
前記デジタルマルチメディアファイル取得手段が、前記デジタルマルチメディアファイルを取得する工程と、
前記生体情報取得手段が、少なくとも、前記購入者及び前記購入者の少なくとも一人の被指名者、のいずれかの前記生体データを取得する工程と
が行われることを特徴とする請求項１に記載のデジタル著作権管理方法。
【請求項５】
前記埋め込みは所定回数に達するまで繰り返し実行され、前記デジタルマルチメディア製品の権限を有するユーザーの所定数分までの前記生体データが、前記デジタルマルチメディアファイルに埋め込まれることを特徴とする請求項１に記載のデジタル著作権管理方法。
【請求項６】
前記デジタル著作権管理方法は、デジタルマルチメディア製品を利用する利用装置を更に用いて実行され、
前記利用装置は、コントローラを備え、
前記埋め込み工程の後に、見込みユーザーの生体データと、前記デジタル記憶媒体が格納する前記デジタルマルチメディアファイルに埋め込まれた生体データとが一致しない場合に、前記コントローラが、前記見込みユーザーによる前記デジタルマルチメディア製品の少なくとも幾つかの利用を防止する防止工程が実行され、
前記見込みユーザーは、少なくとも、前記権限を有する少なくとも一人のユーザー、及び、前記デジタルマルチメディア製品へのアクセスを取得する他人、のいずれかであることを特徴とする請求項１に記載のデジタル著作権管理方法。
【請求項７】
前記利用装置は、生体情報取得手段をさらに備え、
前記防止工程は、
前記生体情報取得手段が、前記見込みユーザーの生体データを取得する工程と、
前記コントローラが、前記見込みユーザーから取得された生体データと、前記デジタル記憶媒体が格納する前記デジタルマルチメディアファイルに埋め込まれた生体データとを比較する工程と
を備えることを特徴とする請求項６に記載のデジタル著作権管理方法。
【請求項８】
前記取得する工程は、前記見込みユーザーによる前記利用装置の起動に応じて実行され、
前記比較する工程は、前記見込みユーザーによる前記利用装置での、前記デジタル記憶媒体が格納する前記デジタルマルチメディアファイルの起動に応じて実行されることを特徴とする請求項７に記載のデジタル著作権管理方法。
【請求項９】
デジタルマルチメディア製品を製造するための装置であって、
デジタルマルチメディアファイルを取得する取得手段と、
前記デジタルマルチメディア製品の権限を有する少なくとも一人のユーザーの生体データを取得する手段と、
前記デジタルマルチメディア製品の権限を有する少なくとも一人のユーザーの前記生体データを、前記デジタルマルチメディアファイルに埋め込む手段と、
追加のユーザが前記デジタルマルチメディア製品の権限を有することになるか否かを判定する判定手段と、
前記デジタルマルチメディアファイル内に、該デジタルマルチメディア製品の権限を有することになる追加のユーザーの数に対応するインジケータを埋め込む手段と、
前記デジタルマルチメディア製品を製造するために、前記生体データと前記インジケータとが埋め込まれた前記デジタルマルチメディアファイルを、デジタル記憶媒体に格納する格納手段と、
前記デジタルマルチメディアファイルに埋め込まれた前記インジケータに応じて、前記デジタルマルチメディア製品の追加のユーザの生体データを前記デジタルマルチメディア製品に埋め込む手段と、
前記デジタルマルチメディア製品の追加のユーザの前記生体データの、前記デジタルマルチメディア製品への埋め込みに応じて、前記インジケータをデクリメントする手段と、
デクリメントされた前記インジケータを、前記デジタルマルチメディア製品に埋め込む手段と
を備えることを特徴とする装置。
【請求項１０】
前記デジタルマルチメディア製品の前記権限を有する少なくとも一人のユーザーは、少なくとも、前記デジタルマルチメディア製品の購入者、前記デジタルマルチメディアファイルの生成者、及び、少なくとも該購入者及び該生成者のいずれかの少なくとも一人の被指名者、のいずれかであることを特徴とする請求項９に記載の装置。
【請求項１１】
前記取得手段は、前記デジタルマルチメディアファイルを、少なくとも、前記デジタルマルチメディアファイルの生成者及び該生成者の少なくとも一人の被指名者、のいずれかによる入力に応じて生成する手段を備え、
前記権限を有する少なくとも一人のユーザーは、少なくとも、前記デジタルマルチメディアファイルの生成者及び該生成者の少なくとも一人の被指名者、のいずれかであることを特徴とする請求項９に記載の装置。
【請求項１２】
前記取得手段は、前記デジタルマルチメディア製品の購入者による要求に応じて前記デジタルマルチメディアファイルを取得する手段を備え、
前記権限を有する少なくとも一人のユーザーは、少なくとも、前記デジタルマルチメディア製品の購入者及び該購入者の少なくとも一人の被指名者、のいずれかであることを特徴とする請求項９に記載の装置。
【請求項１３】
生体データを取得する前記手段は、前記デジタルマルチメディア製品の権限を有するユーザーの所定数分までの生体データを取得する手段を備え、
前記埋め込む手段は、前記デジタルマルチメディア製品の権限を有するユーザーの前記所定数分までの前記生体データを前記デジタルマルチメディアファイルに埋め込む埋め込み手段を備えることを特徴とする請求項９に記載の装置。
【請求項１４】
デジタルマルチメディア製品を製造するための装置であって、
デジタルマルチメディアファイルを取得するように構成されたサブシステムと、
前記デジタルマルチメディア製品の権限を有する少なくとも一人のユーザーの生体データを取得するように構成された生体情報取得装置と、
前記デジタルマルチメディア製品の前記権限を有する少なくとも一人のユーザーの前記生体データを、前記デジタルマルチメディアファイルに埋め込むように構成されたモジュールと、
埋め込まれた前記生体データを含む前記デジタルマルチメディアファイルを、デジタル記憶媒体に格納して、前記デジタルマルチメディア製品を製造するように構成されたデジタルマルチメディア製品製造器と
を備え、
前記モジュールは、
追加のユーザが前記デジタルマルチメディア製品の権限を有することになるか否かを判定し、
前記デジタルマルチメディアファイル内にその生体データが埋め込まれることになる追加のユーザーの数を示すインジケータを、前記デジタルマルチメディアファイルに埋め込む
ようにさらに構成され、
前記デジタルマルチメディア製品製造器は、前記生体データと前記インジケータとが埋め込まれた前記デジタルマルチメディアファイルを、前記デジタル記憶媒体に格納するようにさらに構成され、
前記モジュールはさらに、
前記デジタルマルチメディアファイルに埋め込まれた前記インジケータに応じて、前記デジタルマルチメディア製品の追加のユーザの生体データを前記デジタルマルチメディア製品に埋め込み、
前記デジタルマルチメディア製品の追加のユーザの前記生体データの、前記デジタルマルチメディア製品への埋め込みに応じて、前記インジケータをデクリメントし、
デクリメントされた前記インジケータを、前記デジタルマルチメディア製品に埋め込む
ように構成されていることを特徴とする装置。
【請求項１５】
前記デジタルマルチメディア製品の前記権限を有する少なくとも一人のユーザーは、少なくとも、前記デジタルマルチメディア製品の購入者、生成者、及び、少なくとも該購入者及び該生成者のいずれかの少なくとも一人の被指名者、のいずれかであることを特徴とする請求項１４に記載の装置。
【請求項１６】
前記サブシステムは、前記デジタルマルチメディアファイルを、少なくとも、前記デジタルマルチメディアファイルの生成者及び該生成者の少なくとも一人の被指名者、のいずれかによる入力に応じて生成するように構成され、
前記権限を有する少なくとも一人のユーザーは、少なくとも、前記デジタルマルチメディアファイルの生成者及び該生成者の少なくとも一人の被指名者、のいずれかであることを特徴とする請求項１４に記載の装置。
【請求項１７】
前記サブシステムは、前記デジタルマルチメディアファイルを、前記デジタルマルチメディアファイルの購入者からの要求に応じて生成するように構成され、
前記権限を有する少なくとも一人のユーザーは、少なくとも、前記デジタルマルチメディアファイルの購入者及び該購入者の少なくとも一人の被指名者、のいずれかであることを特徴とする請求項１４に記載の装置。
【請求項１８】
前記生体情報取得装置は、前記デジタルマルチメディア製品の権限を有するユーザーの所定数分までの生体データを取得するように構成され、
前記モジュールは、前記デジタルマルチメディア製品の権限を有するユーザーの前記所定数分までの前記生体データを前記デジタルマルチメディアファイルに埋め込むように構成されることを特徴とする請求項１４に記載の装置。
【発明の詳細な説明】
【技術分野】
【０００１】
本発明は、デジタルマルチメディア製品に関する。より詳細には、デジタルマルチメディア製品のためのデジタル著作権管理装置（digital rights management apparatus、以下同じ。）及び方法、並びに、それを採用するデジタルマルチメディア製品(digital multimedia products、以下同じ。)に関する。
【０００２】
［発明の背景］
デジタルマルチメディア製品は、娯楽、教育及び／又は他の目的のために広く利用されている。ここで利用される”デジタルマルチメディア”の語には、デジタルマルチメディア製品内で具体化されても良いところの、デジタルオーディオ、デジタルビデオ、及び／又はデジタル画像が含まれる。該デジタルマルチメディア製品には、例えば、コンパクトディスク（ＣＤ）、デジタルビデオディスク（ＤＶＤ）、ビデオゲーム製品、デジタルテレビ（ＤＴＶ）製品、デジタルマルチメディアファイルを格納するメモリー装置、ＷＷＷのようなコンピュータネットワーク上を、衛星及び／又はケーブル網を介して配信されるデジタルマルチメディアファイルが含まれる。
【０００３】
デジタルオーディオレコーダーやデジタルカメラのようなデジタルマルチメディア製品を生成するための装置及び方法や、少なくともデジタルオーディオ及びデジタルビデオのいずれかのプレーヤのようなマルチメディア製品を提供（利用）するための装置(rendering (using) apparatus)の急増により、デジタルマルチメディア製品に関する著作権、及び他の知的財産権に対するのオーナーの関心が高まってきた。これらの関心は、デジタル著作権管理（ＤＲＭ）技術の利用及び／又は目的に結びつくものである。これらのＤＲＭ技術は、マルチメディア製品について権限の与えられたユーザーが該製品を利用することを可能とし、所定の環境下において該製品をコピーする能力も与えられる。ＤＲＭ技術はまた、権限の与えられたユーザーによる許可されていない利用、例えば、デジタルマルチメディア製品のＥメールによる送信、及び／又は、デジタルマルチメディア製品のウェブ上での公開を禁ずることができる。また、権限を有しないユーザーによる利用も禁ずることができる。
【０００４】
例えば、ワシントン州シアトルのリアルネットワークによるストリーミングオーディオ及び／又はストリーミングビデオの通信システム及び方法は、オーディオデータ及び／又はビデオデータのリアルタイム再生を、電話回線や他の通信リンクを介して可能とする。例えば、”オーディオ・オン・デマンド通信システム”についてのGlaser等の米国特許第６，１５１，６３４号を参照されたい。ＤＲＭは、利用後のデータを廃棄することにより、及び／又は、ユーザーにＤＲＭサーバーに対して繰り返してアクセスするための登録を許可することにより、処理される。
【０００５】
別のＤＲＭ技術は、セキュア・デジタル・ミュージック・イニシアチブ(Secure Digital Music Initiative：SDMI)である。これは、デジタルマルチメディアファイルのデジタルコピーを決められた回数だけ許可するものであり、電子透かしがファイル内に一体化されるとともに、許容可能なコピー数が記録され、この数がコピーが行われるたびに減少される。例えば、１９９９年２月２６日発行の、DIMIポータブル装置の詳細に関するガイド、パート１、バージョン１．０(Guide to the SDMI Portable Device Specification, Part 1, Version 1.0, February 26, 1999)を参照されたい。
【０００６】
DRM技術の更に別の例は、ソニーの“マジックゲート”メモリースティック（登録商標）であり、これは“マジックゲート”著作権保護技術を搭載したコンパクトな集積回路記憶媒体である。マジックゲートは、認証技術と暗号化技術からなる著作権保護技術である。認証技術は、保護コンテンツが、規格に準拠した装置及び媒体間でのみ伝送されることを保証する。保護コンテンツは、暗号化形式において記録・伝送され、権限なきコピーや再生が防止される。”マジックゲートメモリースティック（登録商標）”をソニーが発表との、１９９９年９月２２日のプレスリリースを参照されたい。
【０００７】
他のDRM技術は、ユーザーが購入したメディア製品を、特定装置内にのみ格納することを許可するものであり、ユーザーが当該装置の外へ伝送することはブロックされる。例えば、出版業者或いは学術出版社から発売されているほとんど全ての現在の電子書籍（e-book)のタイトルは、それらがパーソナルコンピュータや電子書籍リーディング装置に一旦ダウンロードされると、そのコピーや移動を制限するある種のセキュリティを含んでいる。e-books.orgの２００２年の電子書籍についてのよくある質問のうち、”どうすれば、電子書籍のコンテンツをあるリーディング装置から別の装置へコピー又は移動することができますか？”(the Freauently Asked Qestions(FAQ) at e-books.org,2002, question entitled "How can I copy or move e-book content from one reading appliance to another?")の項を参照されたい。
【０００８】
［発明の概要］
本発明の幾つかの実施形態では、デジタルマルチメディア製品の権限を有する少なくとも一人のユーザー（at least one authorized user、以下同じ。）の指紋データのような生体データ(biometric data、以下同じ。)が、デジタルマルチメディア製品に埋め込まれ、それによって、デジタルマルチメディア製品へのアクセスを取得する見込みユーザー（prospective user、以下同じ。）による該デジタルマルチメディア製品の利用が制御される。他の実施形態では、権限を有する少なくとも一人のユーザーの生体情報が埋め込まれているデジタルマルチメディア製品が、デジタル記憶媒体に格納される。更に他の実施形態では、見込みユーザーによるデジタルマルチメディア製品の少なくとも幾つかの利用は、デジタルマルチメディア製品に埋め込まれた生体データと、該見込みユーザーの生体データとが一致しない場合には妨げられる。
【０００９】
本発明の幾つかの実施形態に対応する装置及び方法は、デジタルマルチメディア製品に対応するデジタルマルチメディアファイルを生成し、デジタルマルチメディアファイルの生成者及び／又は該生成者の少なくとも一人の被指名人（designee、以下同じ。）の生体データを取得し、更に、生体データをデジタルマルチメディア製品に埋め込むことにより、デジタルマルチメディア製品の生成に際して利用されてもよい。本発明の他の実施形態に対応する装置及び方法は、デジタルマルチメディア製品の購入に際して利用されても良い。そこでは、デジタルマルチメディア製品に対応するデジタルマルチメディアファイルが取得され、デジタルマルチメディア製品の購入者及び／又はその被指名者の一人の生体データが取得される。この生体データは、デジタルマルチメディア製品に埋め込まれる。
【００１０】
本発明の幾つかの実施形態に対応するデジタルマルチメディア製品は、媒体に埋め込まれたデジタルデータを有するデジタル記憶媒体を備える。該デジタルデータは、デジタルマルチメディアファイル、及び、デジタルマルチメディア製品の権限を有する少なくとも一人のユーザーの生体データで構成される。デジタルマルチメディア製品の他の実施形態はまた、デジタルマルチメディア製品に生体データを埋め込むことが可能な、権限を有するユーザーの追加数を示すように構成されたインジケータ(indicator、以下同じ。)を含む。
【００１１】
本発明の幾つかの実施形態に対応するデジタルマルチメディア製品を製造する装置又はシステムは、デジタルマルチメディアファイルを取得し、デジタルマルチメディア製品の権限を有する少なくとも一人のユーザーの生体データを取得し、デジタルメディアファイルに権限を有する少なくとも一人のユーザーの該生体データを埋め込み、生体データが埋め込まれたデジタルマルチメディアファイルをデジタル記憶媒体内に格納する。デジタルマルチメディア製品を製造するための装置のいくつかの実施形態は、デジタルマルチメディアファイルの生成者、及び／又は、該生成者の少なくとも一人の被指名者からの入力に応じて、デジタルマルチメディアファイルを生成するように構成されても良い。本発明の実施形態に対応するデジタルマルチメディア製品を生成するための装置の他の実施形態は、デジタルマルチメディア製品の購入者の要求に応じてデジタルマルチメディアファイルを取得し、更に、該購入者及び／又は該購入者の少なくとも一人の被指名者の生体データを取得し、埋め込むように構成されても良い。
【００１２】
本発明の幾つかの実施形態に対応するデジタルマルチメディア製品を利用するための装置（apparatus for rendering）は、見込みユーザーの生体データを取得し、該デジタルマルチメディア製品をリードして、そこに埋め込まれた生体データを取得し、見込みユーザーの生体データとデジタルマルチメディア製品に埋め込まれた生体データとが一致しない場合に、デジタルマルチメディア製品の少なくとも幾つかの利用を妨げるように構成される。ある実施形態では、生体データは装置の起動に応じて取得され、デジタルマルチメディア製品が装置内において起動される場合に繰り返し利用されても良い。他の実施形態では、生体データは、デジタルマルチメディア製品の装置内における起動に応じて取得されてもよい。
【００１３】
［好適な実施形態の詳細な記述］
本発明は、本発明の実施形態を示す添付の図面を参照して、以下においてより詳細に記述される。しかしながら、本発明は、ここに記述される実施形態に限定して解釈されるべきではない。むしろ、これらの実施形態は、当業者に本発明の範囲を、完全に、全てを、十分に伝えるために提供されるものである。また、同等の要素については、同等の番号を全体として使用するものである。
【００１４】
当業者により理解されるように、本発明は方法及び／又は装置として具体化することができる。本発明は、完全なるハードウェアとして、完全なるソフトウェアとして、或いは、ソフトウェアとハードウェアの結合として実現されても良いが、ここではすべて一般的に“回路”と呼ぶことにする。更に、本発明は、デジタルデータを有するデジタル記憶媒体上のデジタルマルチメディア製品として実現されても良い。あらゆる相応なデジタル記憶媒体が利用可能であり、そこにはメモリー装置、ハードディスク、ＣＤ−ＲＯＭ、光学的記憶装置、少なくともワイヤレス伝送媒体及びインターネットやイントラネットをサポートする媒体のような伝送媒体のいずれか、及び／又は、磁気記憶媒体が含まれる。
【００１５】
本発明は、その実施形態に対応する、少なくともブロック図及び方法（システム）を示すフローチャートのいずれか、及び／又は、デジタルマルチメディア製品を参照して以下に記述される。少なくともブロック図及びフローチャートのいずれかのブロック、及び、少なくともブロック図及びフローチャートのいずれかのブロックの結合は、コンピュータプログラム命令により実行することができる。これらのコンピュータプログラム命令は、少なくとも汎用コンピュータ、特定目的コンピュータ、及び、マシーンを製造する他のプログラム可能なデータ処理装置のいずれかに提供され、少なくともコンピュータ及び他のプログラム可能なデータ処理装置のいずれかのプロセッサにより実行される命令は、ブロック図やフローチャートにおけるブロックで特定される機能や動作を実行する手段を生成する。
【００１６】
これらのコンピュータプログラム命令はまた、コンピュータ読み取り可能なメモリー内に格納されても良い。これらは、コンピュータ読み取り可能なメモリーに格納されている命令が、ブロック図及び／又はフローチャートのブロックで特定される機能や動作を実行する命令を含む製品を製造するような特定の方法で、コンピュータ又は他のプログラム可能なデータ処理装置が機能するように導く。
【００１７】
コンピュータプログラム命令はまた、コンピュータ又はプログラム可能な他のデータ処理装置にロードされ、コンピュータで実行される処理を生成するための一連の動作ステップを提供することで、コンピュータやプログラム可能な他の装置において実行される当該命令が、ブロック図及び／又はフローチャートのブロックにおいて特定される機能や動作を実行するためのステップを提供するような、コンピュータ実行処理（computer-implemented process）を生成する。いくつかの代替的な実施に際して、ブロックにおいて記載される機能や動作は、フローチャートに記載される順序で発生しなくても良い。例えば、そこに含まれる機能や動作に応じて、連続して示される２つのブロックは、実際には、実質的に同時に実行されても良いし、時には逆順において実行されても良い。
【００１８】
図１は、本発明のいくつかの実施形態に対応するデジタル著作権管理のための動作のフローチャートである。一般に、本発明の幾つかの実施形態は、権限を有するユーザーの生体データを利用した該権限を有するユーザーの識別子と、デジタルマルチメディア製品を結びつけることにより、デジタル著作権管理を提供することができる。
【００１９】
より詳細には、図１を参照すると、権限を有するユーザーの生体データが、ブロック１１０において取得される。この生体データは、権限を有するユーザーから同時に取得されても良いし、或いは、事前に格納された(prestored、以下同じ。)生体データが取得されても良い。当業者には良く知られているように、個人の肉体的特徴に基づくあらゆるデータに対応する生体データは、該個人を一意に識別するために利用でき、例えば、指紋データ、網膜データ、ＤＮＡデータ及び／又は他のタイプのデータを含めることができる。様々な認証やセキュリティ応用のための生体データの取得は、当業者には良く知られたことであり、ここで更に記載する必要もない。更に、生体データを取得するために利用できる装置や機器もまた当業者には良く知られたものであり、ここで更に記載する必要はない。例えば、ＳＴマイクロエレクトロニクス社の”Biometric Technologies Overview and Smart Finger（登録商標） Single Module for Fingerprint Recognition and On-Screen Navigation, 2001”を参照されたい。
【００２０】
図１のブロック１１０を更に参照すると、本発明の幾つかの実施形態において、デジタルマルチメディア製品の権限を有するユーザーは、デジタルマルチメディア製品に対応するデジタルマルチメディアファイルの生成者及び／又は該生成者の被指名者で構成することができる。本発明の他の実施形態では、権限を有するユーザーは、デジタルマルチメディアファイルの購入者及び／又は該購入者の少なくとも一人の被指名者で構成することができる。ここで利用されるように、“購入者”との語には、デジタルマルチメディア製品の所有者及び／又はライセンシーが含まれるものと理解されるであろう。更に他の実施形態では、権限を有する少なくとも一人のユーザーは、デジタルマルチメディアファイル又は製品の購入者、生成者、及び／又は、少なくとも該購入者及び生成者の少なくとも一人の被指名者のいずれか、で構成されてもよい。ブロック１２０では、二人以上の権限を有するユーザーが存在しても良いので、追加のユーザー（additional users）が権限を有するかどうかに関する検証が行われ、もし権限を有している場合には、これらの権限を有する追加のユーザー（additional authorized users、以下同じ。）の生体データがまた、同時に取得されるか、又は、事前に格納されていても良い。以下に記載されるように、もし権限を有する追加のユーザーの全てについて生体データが利用できない場合には、不足の生体データと共に（with missing biometric data）、権限を有する追加のユーザーの数を示すためのインジケータが利用されても良い。追加の権限を有するユーザーの表示もまた、該インジケータにより提供されても良い。
【００２１】
図１を再度参照すると、ブロック１３０において、取得された生体データはデジタルマルチメディア製品に埋め込まれる。本発明の幾つかの実施形態では、図３について記述される実施形態のように、デジタルマルチメディア製品は、事前に存在するデジタルマルチメディアファイルを含んでいても良い。本発明の他の実施形態では、図２について記述される実施形態のように、デジタルマルチメディアファイルが、デジタル著作権管理が求められる新たに生成されたデジタルマルチメディアファイルであっても良い。ブロック１３０において、生体データは、多くの従来技術のいずれかを利用してデジタルマルチメディア製品に埋め込まれる。幾つかの実施形態においては、生体データはデジタルマルチメディアファイル自体に埋め込まれる。例えば、幾つかの実施形態では、生体データはデジタルマルチメディアファイルに付加される（appended to the digital multimedia file）。他の実施形態では、生体データはデジタルマルチメディアファイル内にちりばめられ(interspersed into the digital multimedia file)、権限を有しないユーザーが独立に生体データにアクセスすることをより困難とする。更に他の実施形態では、除去が一層困難となるような方法で、生体データがデジタルマルチメディアファイルに埋め込まれても良い。例えば、ファイルの幾つか或いは全てが暗号化され、及び／又は、他のタンパーレジスタント／改竄検知技術(tamper-resistant/tamper-detection techniques)を利用しても良い。更に他の実施形態では、デジタルマルチメディアファイルとは別に生体データがマルチメディア製品に埋め込まれる。
【００２２】
ブロック１３０では単一の埋め込み動作が実行されて、複数のユーザーの生体データが一つのデジタルマルチメディア製品に埋め込まれてもよいことが、理解されるであろう。他の実施形態では、埋め込み動作が権限を有するユーザーのそれぞれについて実行されても良い。埋め込みは、デジタルマルチメディア製品の権限を有するユーザーの所定数に達するまで生体データがデジタルマルチメディア製品に埋め込まれるように、所定回数に達するまで実行されてもよい。このように、所定数の権限を有するユーザーが許可されても良い。
【００２３】
図１を更に参照すると、本発明の幾つかの実施形態ではまた、埋め込まれた生体データを含むデジタルマルチメディア製品を、ブロック１４０においてデジタル記憶媒体に格納する。ここで利用されるように、デジタル記憶媒体は、デジタルマルチメディアデータが埋め込まれた、あらゆるデジタル記憶媒体で構成されるものである。該デジタル記憶媒体には、コンパクトディスク（ＣＤ）、デジタルビデオディスク（ＤＶＤ）、ビデオゲーム製品、メモリースティック装置のような他の不揮発性固体メモリー装置、及び／又は、ランダムアクセスメモリー装置のような揮発性メモリー記憶媒体が含まれるが、これらに限定されるものではない。また、ＷＷＷサーバーのようなコンピュータネットワーク内における、配信のためのストレージも含まれる。デジタルマルチメディア製品は、中央装置（centralized apparatus）において製造されても良く、そこでは、生体データがデジタルマルチメディア製品に埋め込まれる。他の実施形態では、分配された装置が提供され、デジタルマルチメディアファイル及び／又は製品が、生体データが埋め込まれる場所から離れて生成されてもよい。
【００２４】
図２は、本発明の他の実施形態に対応する、デジタルマルチメディアファイルの生成に際して利用されるデジタル著作権管理の動作のフローチャートである。これらの実施形態は、デジタルマルチメディアファイルの生成者及び／又はその被指名者によって、他人による該デジタルマルチメディアファイルの利用を管理するために利用されてもよい。これらの実施形態の幾つかは、民間企業内で生成されるデジタルマルチメディアファイルの利用を管理するために、該民間企業により利用されても良い。他の実施形態では、例えば、写真及び／又はビデオのファイルを生成し、そのファイルへのアクセスを例えば家族に限定したいような個人によって利用されても良い。
【００２５】
より詳細には、図２を参照すると、ブロック２５０において、デジタルマルチメディアファイルが生成される。デジタルマルチメディアファイルの生成には、カメラ、楽器、コンピュータ、及び／又は、少なくともオーディオ、ビデオ及び画像ファイルのいずれかを生成するために利用される他の装置、が利用されてもよい。当業者には、デジタルマルチメディアファイルの生成は良く知られていることなので、ここでの更なる記載は必要ない。ブロック２１０では、生成者及び／又は該生成者の１以上の被指名者の生体データが取得される。ブロック１１０と関連して上述したように、生体データは事前に格納されていても良いし、生成に併せて取得されても良い、及び／又は、生成からしばらく時間をあけて取得して、存在するデジタルマルチメディアファイルに追加されてもよい。そして、ブロック２３０では、図１のブロック１３０と関連して記述した動作と同様にして、生体データがデジタルマルチメディアファイルに埋め込まれる。最後に、ブロック２４０では、図１のブロック１４０と関連して記載した動作と同様にして、埋め込まれた生体データを含むデジタルマルチメディア製品が生成される。従って、図２は、デジタルマルチメディアファイルの生成時において実行される埋め込み処理を記述するものであり、ここでは、生成時においてデジタルマルチメディアファイルが生成され、権限を有する少なくとも一人のユーザーの生体データが生成時に取得されるものである。生成時において、権限を有するユーザーには、マルチメディアファイルの生成者及び／又は少なくとも該生成者の被指名者が含まれても良い。
【００２６】
図３は、購入時に利用される、本発明の幾つかの実施形態に対応するブロック図である。これらの実施形態では、既存の音楽、画像、及び／又は、ビデオファイルのような、既存のデジタルマルチメディアファイルへのアクセスを管理するために利用されても良い。ここで図３を参照すると、ブロック３５０では、デジタルマルチメディアファイルが取得される。幾つかの実施形態では、デジタルマルチメディアファイルは、購入時において格納されてもよい。他の実施形態では、デジタルマルチメディアファイルは、例えば、リモートの倉庫（remote repository）から無線及び／又は有線伝送により取得されても良い。デジタルマルチメディアファイルを取得するためのこれらの及び他の技術も利用することができる。
【００２７】
ブロック３１０では、図１のブロック１１０と関連して記述した動作と同様にして、権限を有するユーザーの生体データが取得されてもよい。図３の購入実施形態では、権限を有するユーザーは、購入者、及び／又は、該購入者の少なくとも一人の被指名者であっても良い。より詳細には、デジタルマルチメディア製品の購入者は、彼自身又は彼女自身、及び／又は、他の個人ユーザーのための利用権を取得してもよい。図３に示されるように、ブロック３２０では、もしこれらの追加のユーザーが購入時又は購入場所に存在しない場合、又は、生体データが事前に格納されていない場合、これらの追加のユーザーについての利用権が購入されても良いし、これらのユーザーについての生体データが後に追加されても良い。特に、ブロック３６０では、購入者により追加のユーザーが要求される一方で、これらのユーザー又は彼らの生体データが、購入時又は購入場所において存在しない場合には、ブロック３７０において購入時において権限が与えられたユーザーの追加数を示すインジケータが生成されても良い。インジケータを提供するために利用されるあらゆる従来技術を利用可能であることは、当業者には理解されるであろう。その中には、数の登録、生体データを記録するための１以上のブランクエリア或いはスロットの提供、追加ユーザーの識別子の提供、及び／又は、他の従来技術が含まれる。
【００２８】
ブロック３３０を参照すると、例えば、図１のブロック１３０と関連して上述した技術を利用して、生体データ及び／又はインジケータがデジタルマルチメディアファイルに埋め込まれる。最後に、ブロック３４０では、埋め込まれた生体データ及びインジケータを含むデジタルマルチメディア製品が、図１のブロック１４０と関連して記述したのと同様にして生成される。従って、図３の実施形態では、購入時にデジタルマルチメディアファイル及び生体データを取得し、埋め込むことが可能となる。
【００２９】
デジタルマルチメディアファイルを購入する場合、ユーザーは、指紋のような自己の生体特徴をスキャンするか、さもなくば、提供することを求められるかもしれない（ブロック３１０）。これは、購入時点においてローカル装置、或いは、もしユーザーが該ファイルを無線において購入するのであればユーザー所有の装置を利用して行われるかもしれない。購入されるデジタルマルチメディアファイルは、それに埋め込まれる生体データと共に生成される（ブロック３３０）。デジタルマルチメディア製品は、（有線及び／又は無線により）ファイル転送、或いは、ＵＳＢケーブルやメモリーカード又は他の記憶媒体のようなシステム接続のいずれかにより提供される（ブロック３４０）。デジタルマルチメディアファイルは、生体情報により機能強化されたフォーマット（bio-enhanced format、以下同じ。）、即ち、埋め込まれた生体データを含むデジタルマルチメディア製品を理解し、直接又は間接に入力される生体情報を処理する能力を有する全ての装置上で、ユーザーが利用できる。
【００３０】
図４は、本発明のいくつかの実施形態に対応する、権限を有するユーザーを追加するための動作のフローチャートである。図４の実施形態は、例えば、購入時に生体データが利用可能でなく、また、図３のブロック３７０においてインジケータが追加された、権限を有する追加のユーザーについて権利が購入される場合に利用されても良い。図４の実施形態はまた、図２と関連して説明されるように、権限を有する追加のユーザーを生成時に追加する為に利用されても良い。
【００３１】
より詳細には、図４を参照すると、デジタルマルチメディア製品は、ブロック４１２において再生されたり、リードされたりする。そして、ブロック４１４において、インジケータがゼロより大きいか、或いは、さもなくば追加のユーザーに権限が与えられることが示されているかどうかの決定が行われる。もしそうでない場合には、追加のユーザーには権限が与えられず、動作は終了する。
【００３２】
図４についての記述を続けると、もし追加のユーザーにブロック４１４において権限が与えられると、ブロック４１０では、権限が与えられた追加のユーザーの生体データが、図１のブロック１１０と関連して記載したのと同様の手法により取得される。ブロック４１６では、インジケータがデクリメントされる。生体データ及びデクリメントされたインジケータは、図３のブロック３３０と関連した記載したのと同様の手法により、ブロック４１８においてデジタルマルチメディア製品に埋め込まれる。
【００３３】
図５は、本発明のいくつかの実施形態に対応するデジタルマルチメディア製品の提供(rendering)、即ち利用(using)に関するフローチャートである。本発明のこれらの実施形態は、デジタルマルチメディアファイルに埋め込まれている生体データと見込みユーザーの生体データとが一致しない場合に、該見込みユーザーによるデジタルマルチメディアファイルの少なくとも幾つかの利用（例えば、視聴（viewing, listening）及び／又はコピー）を防止するために利用されても良い。幾つかの利用が生体データの一致が無くても許可されても良い一方で、他の利用は生体データの一致を条件にのみ許可されることは理解されよう。
【００３４】
より詳細には、図５を新たに参照すると、ブロック５１０では、デジタルマルチメディア製品の見込みユーザーから生体データが取得される。ブロック５７０では、デジタルマルチメディア製品内に埋め込まれている生体データが取得される。このデータは、本発明の幾つかの実施形態においては、例えば図１のブロック１３０において記載された埋め込み技術の逆の技術を利用することにより、取得されても良い。このように、例えば幾つかの実施形態では復号が利用されても良い。ブロック５８０では、見込みユーザーから取得された生体データと、デジタルマルチメディア製品に埋め込まれている生体データとの比較が行われる。もしそれらが一致する場合には、ブロック５９０において少なくとも幾つかの利用が許可される。もし、それらが一致しない場合には、ブロック５９２において少なくとも幾つかの利用が妨げられる。
【００３５】
図６は、本発明の幾つかの実施形態に対応するデジタルマルチメディア製品のブロック図である。図６に示されるように、これらのデジタルマルチメディア製品６００は、デジタル記憶媒体６１０で構成され、そこにはデジタルデータが埋め込まれている。上記のように、デジタル記憶媒体６１０は、デジタルテープ、デジタルディスク、及び／又は、固体メモリーを含む、少なくとも揮発性及び不揮発性のいずれかの記憶媒体で構成することができる。
【００３６】
図６を更に参照すると、デジタルデータは、デジタルマルチメディアファイル６１２、権限を有する少なくとも一人のユーザーの生体データ６１４、及び、随意的に、生体データが取得されるかもしれない権限を有する追加のユーザーの数を示すように構成されたインジケータ６１６で構成される。本発明の幾つかの実施形態によれば、生体データ６１４及び／又はインジケータ６１６は、上述の技術のいずれかを利用してデジタルマルチメディアファイル内に埋め込まれる。インジケータ６１６及び／又は生体データ６１４は、デジタルマルチメディアファイル６１２内に埋め込まれるので、本発明の幾つかの実施形態では直ちに識別できる境界が存在しないかもしれないことを示すために、これらの要素の境界は図６において点線で示されている。更に、他の実施形態では、生体データ６１４及び／又はインジケータ６１６は、デジタルマルチメディアファイル６１２自体に埋め込まれること無しに、デジタル記憶媒体に埋め込まれる。
【００３７】
図７は、本発明の幾つかの実施形態に対応するデジタルマルチメディア製品を製造するための装置のブロック図である。これらの装置７００は、図２に示すような生成時、図３に示すような購入時、及び／又は、図４に示すような権限を有する追加のユーザーを追加するために利用されても良い。
【００３８】
図７を参照すると、これらの装置７００は、デジタルマルチメディアファイルを取得するように構成され、全体として或いは部分的にデジタルマルチメディアファイルを生成することができるサブシステム７０２を含む。生体情報装置(biometric device)７０４は、デジタルマルチメディア製品の権限を有する少なくとも一人のユーザーの生体データを取得するように構成されている。埋め込みモジュール７０６は、デジタルマルチメディア製品の権限を有する少なくとも一人のユーザーの生体データを、デジタルマルチメディアファイルに埋め込むように構成されている。デジタルマルチメディア製品製造器（digital multimedia product producer）７０８は、生体データが埋め込まれたデジタルマルチメディアファイルを、デジタルマルチメディア製品７１６に格納するように構成される。コントローラー７１２は、本段落で記載された装置の幾つか又は全て、及び／又は、少なくともスキャナー、カメラ、レコーダー、エディター及びマルチメディアファイルを生成及び／又は取得するために利用される他の装置のいずれかのような、その他の装置(other device)７１４を制御するように構成されている。他の実施形態においては、コントローラー７１２は、所定数までのユーザーに権限を与えることを許可するように構成されても良く、また、埋め込みモジュール７０６は、デジタルマルチメディアファイルに生体データファイルが埋め込まれても良い、追加で権限が与えられるユーザーの数を示すインジケータの埋め込み制御を行うように構成されても良い。最後に、装置７００の全てのブロック７０２から７１２は、１以上のハウジング内に含められても良く、全部又は一部が、１以上の回路において上記のように実現されても良いことは理解されよう。
【００３９】
図８は、本発明の幾つかの実施形態に対応するデジタルマルチメディア製品を利用するための装置のブロック図である。図８に示されるように、これらの装置８００は、図７の生体情報装置７０４と同様でありえるところの生体情報装置８０４を含み、デジタルマルチメディア製品８１６の見込みユーザーの生体データを取得するように構成される。デジタルマルチメディア製品８１６は、レンダラ(renderer、以下同じ)８０２によって従来技術を利用してリードされ、それによりデジタルマルチメディア製品８１６内に埋め込まれた生体データを取得しても良い。比較用モジュール８０６及び／又はコントローラー８１２は、生体情報装置８０４で取得されたユーザーの生体データと、デジタルマルチメディア製品８１６に埋め込まれている生体データとが一致しない場合に、レンダラ８０２によるデジタルマルチメディア製品８１６の少なくとも幾つかの利用を妨げるように構成される。もし、デジタルマルチメディア製品８１６に埋め込まれている生体データが、生体情報装置８０４で取得されたユーザーの生体データと一致する場合は、比較用モジュール８０６及び／又はコントローラー８１２は、レンダラ８０２によるデジタルマルチメディア製品の少なくとも幾つかの利用を許可するように構成される。レンダラ８０２には、少なくとも、スピーカー、ディスプレイ、及び、他の従来的なマルチメディアを利用するための装置のいずれかが含まれる。コントローラー８１２はまた、本段落において記載される装置、及び／又は、少なくともキーボード及び他の入出力装置のいずれかを含むマルチメディアレンダラにおいて利用される、その他の装置８１４、を制御するように構成される。
【００４０】
装置８００の全てのブロック８０２〜８１４は、１以上のハウジング内に含められ、全体又は一部として、１以上の回路内において、上記のように実現されても良いことは理解されよう。特に、図９について記載される本発明のいくつかの実施形態は、見込みユーザーが、デジタルマルチメディア製品８１６を利用しようとする消費者用の電子装置のようなレンダリング装置８００内の生体情報装置８０４を採用してもよい。これらの生体情報装置８０４はまた、レンダラ８０２と共に利用されるアクセサリー或いは周辺器具として提供されてもよい。幾つかの実施形態において、生成時（図２）、購入時（図３）又は利用時（図５）において使用できる、共通の生体情報アクセサリ／周辺器具が提供されても良い。更に、図７と関連して記載したように、生体情報装置７０４は、生体データをデジタル化し、デジタルマルチメディアファイルが配布媒体にプリント或いは書き込まれる前にそれをデジタルマルチメディアファイルに埋め込み、マルチメディア製品７１６を生成し、それを購入者に提供したり、或いは、リモートコンピュータに配信したりするように構成されているモジュール７０６と共に購入時に提供されても良い。
【００４１】
埋め込まれた生体データを有するデジタルマルチメディア製品８１６が利用される場合、比較用モジュール８０６及び／又はコントローラー８１２は、埋め込まれた生体データが、装置８００上で動作する生体情報装置８０４を介して登録された生体データと一致する場合にのみ、デジタルマルチメディア製品８１６が提供されるように構成されても良い。セキュリティを向上させるためには、比較用モジュール８０６は、コントローラー８１２、オペレーティングシステム、ユーザーインタフェース及び／又は装置８００の他の構成要素と強固に結びつけられていてもよい。購入時に利用される生体情報装置７０４は、利用時に利用される生体情報装置８０４と両立し得るべきである点には、注意すべきである。これらの装置は、同一の性質を有するべきであり、例えば両方の場合において指紋検出を行い、互換性のあるデジタル形式において、適切な使用に際しては、これらの形式が比較されて一致するように、該指紋をデジタル化できなければならない。
【００４２】
単一のレンダリング装置８００について、生体データのスキャニングは、ユーザーがデジタルマルチメディア製品８１６を利用するたび毎に実行される必要はないが、例えば、１日おき、或いは、装置８００が起動されたときなど、使い勝手が悪くならないように所定の周期において実行されればよい。更に、幾つかの実施形態では、ユーザーは、該ユーザーの生体情報を、全ての生体情報により機能強化されたファイルについて利用期間内で一度スキャンすればよく、全てのファイルについて一度ずつスキャンしなくても良い。しかしながら、他の実施形態では、生体情報のスキャンは、デジタルマルチメディア製品８１６が起動されるたびに実行されてもよい。
【００４３】
本発明は、例えば指紋センサーを備えるワイヤレス無線電話機のような無線端末において実現されても良い。ここで、該無線端末は同様のバイオセンサーを備えるソニーミュージック娯楽情報番組のポイント(Sony Music Infotainment point)から、音楽やビデオのようなデジタルマルチメディアを購入するために利用されてもよい。他の実施形態においては、デジタルレコーディングカメラは、バイオセンサー及びメモリースティックを備えていても良く、また、ビデオファイルが生成された場合に、生体データを該ビデオファイルに埋め込むソフトウェアを備えていても良い。このように、本発明の実施形態は、個人用のファイルについて利用されても良い。メモリースティック上に格納されたファイルは、幾人かの生体データを埋め込んでも良く、メモリースティックを備え、生体データにアクセス可能な、例えばテレビのような、あらゆる利用のための製品（rendering product）において利用可能である。
【００４４】
本発明の実施形態を、あらゆるデジタルマルチメディアファイルについて利用しても良い。本発明の幾つかの実施形態は、音楽やビデオファイルのデジタル著作権管理のために商業的に利用されても良いが、本発明の他の実施形態は、商業的或いは個人的なデジタル著作権管理の為に、他のデジタルマルチメディアファイルについて利用されても良い。本発明の幾つかの実施形態によれば、少なくともコンピュータ、消費者用電子装置、及び、無線装置のいずれかであろうと、その装置が装置内蔵の或いは周辺機器として生体情報センサーを利用可能であり、及び／又は、生体データにアクセスすることができるならば、あらゆる装置においてユーザーは該ファイルを読むことができる。
【００４５】
本発明の実施形態は、生体信号を取得するためにユーザーの存在を必要とするだけでよく、デジタルマルチメディアファイルが、該ユーザーが所有しない装置によって利用されることを妨げないことは理解されるであろう。このように、幾つかの実施形態では、該ユーザーが、該ユーザーの個人の生体的特徴をレンダリング装置に提示するためにそこにいる限り、ユーザーは、デジタルマルチメディア製品をユーザーが希望するところであればどこへでも転送することができ、ユーザー又は他の誰かが所有するいかなる装置においても利用することができる。本発明の幾つかの実施形態はまた、少なくとも、ユーザーの私的利用及び小グループの人々による利用、のいずれかが指定された私的なファイルについて、デジタル著作権管理を提供するために利用されても良い。例えば、ユーザーはデジタルカメラを使って個人的なビデオクリップを記録し、自分自身の生体情報をそれに埋め込むことによって、他人による利用を妨げるようにしても良い。更に、本発明の幾つかの実施形態は、彼らが自己の生体情報を購入時、生成時、及び／又は、後にインジケータを利用して一緒に登録する限り、所定数のユーザーについて拡張されても良い。即ち、例えば家族が自分たちの生体データを私的なデジタルビデオに埋め込むことで、ファイルを紛失したり、転送されたり、或いは盗まれたりした場合であっても、家族でない者による利用を防止することができる。また、装置において利用する場合には、権限を有するユーザーのうちの一人が、ファイルのロックを解除すればよい。
【００４６】
最後に、本発明の幾つかの実施形態に対応する生体情報技術は、同一性の証明や認証として利用されるものでなくてもよい点は理解されるであろう。デジタルマルチメディア製品の生成時及び／又は利用時において生体情報を提示した者が、彼や彼女が名乗った人物であるという仮定は必要ない。本発明の実施形態は、少なくともファイルを購入、或いは、生成した人物及び該人物の被指名者のいずれかが、それを利用する権限を有する者であることを保証するものであるが、生成者及び／又は権限を有するユーザーの同一性を知る必要がないので、プライバシーに関する概念を採り上げる必要はない。
【００４７】
図面及び明細書において、本発明の典型的な好適な実施形態が開示された。ここでは、特定の語が利用されているが、それらは全般的、かつ、記述的な意味においてのみ利用されたものであり、特許請求の範囲に記載された本発明の範囲を限定する目的はない。
【図面の簡単な説明】
【００４８】
【図１】本発明のいくつかの実施形態に対応するデジタル著作権管理の処理のフローチャートである。
【図２】本発明のいくつかの実施形態に対応する、生成時におけるデジタル著作権管理の処理のフローチャートである。
【図３】本発明のいくつかの実施形態に対応する、購入時におけるデジタル著作権管理の処理のフローチャートである。
【図４】本発明のいくつかの実施形態に対応する、権限を有するユーザーを追加する処理のフローチャートである。
【図５】本発明のいくつかの実施形態に対応する、デジタルマルチメディア製品の利用の際の処理のフローチャートである。
【図６】本発明のいくつかの実施形態に対応する、デジタルマルチメディア製品のブロック図である。
【図７】本発明のいくつかの実施形態に対応する、デジタルマルチメディア製品を製造するための装置のブロック図である。
【図８】本発明のいくつかの実施形態に対応する、デジタルマルチメディア製品を利用するための装置のブロック図である。
【図１】
0004504194.tif 000002
【図２】
0004504194.tif 000003
【図３】
0004504194.tif 000004
【図４】
0004504194.tif 000005
【図５】
0004504194.tif 000006
【図６】
0004504194.tif 000007
【図７】
0004504194.tif 000008
【図８】
0004504194.tif 000009